(57)【要約】【課題】記録先に、ファイルや該ファイルが格納されているフォルダと同一の名称が存在する場合であっても、上書きすることなくファイルを記録することができる情報記録装置及び情報記録方法並びに記録プログラムの提供。【解決手段】デジタルカメラやメディアからファイルを入力するファイル入力手段１０と、記録先に既に記録されているファイルやフォルダの名称を取得する名称取得手段１２と、記録するファイルやフォルダと同じ名称が記録先に存在する場合に新たな名称を作成する名称作成手段１３と、ファイルやフォルダの名称が一致する場合に、新たに作成された名称にファイル名を変更して記録、又は該名称のフォルダを作成して該フォルダにファイルを記録するファイル記録手段１４とを少なくとも備え、ファイルやフォルダの名称が一致している場合でもファイルやフォルダを上書きすることがなくなる。【選択図】図４
2005092756.tif 000002
【特許請求の範囲】
【請求項１】
入力したファイルを記録媒体又は記憶手段に記録する情報記録装置において、
前記ファイルを入力する手段と、
前記記録媒体又は前記記憶手段に予め記録されているファイルの名称を取得する手段と、
前記入力したファイルの名称と、前記記録媒体又は前記記憶手段に予め記録されているいずれか一のファイルの名称とが一致する場合に、所定のルールに従って新たなファイルの名称を作成する手段と、
ファイルの名称が一致しない場合は、前記入力したファイルを前記記録媒体又は前記記憶手段に記録し、ファイルの名称が一致する場合は、前記入力したファイルのファイル名を前記新たな名称に変更して前記記録媒体又は前記記憶手段に記録する手段と、を少なくとも備えることを特徴とする情報記録装置。
【請求項２】
入力したファイルを記録媒体又は記憶手段に記録する情報記録装置において、
フォルダに格納される前記ファイルを、フォルダ単位で入力する手段と、
前記記録媒体又は前記記憶手段に予め作成されているフォルダの名称を取得する手段と、
前記入力したファイルが格納されているフォルダの名称と、前記記録媒体又は前記記憶手段に予め作成されているいずれか一のフォルダの名称とが一致する場合に、所定のルールに従って新たなフォルダの名称を作成する手段と、
フォルダの名称が一致しない場合は、前記入力したファイルを前記フォルダごと前記記録媒体又は前記記憶手段に記録し、フォルダの名称が一致する場合は、前記記録媒体又は前記記憶手段に前記新たな名称のフォルダを作成し、該フォルダに前記入力したファイルを記録する手段と、を少なくとも備えることを特徴とする情報記録装置。
【請求項３】
前記ファイルは、デジタルカメラで撮影された写真画像に基づく画像ファイルであることを特徴とする請求項１又は２に記載の情報記録装置。
【請求項４】
前記ファイル又は前記フォルダの名称は、前記ファイルの書き込みが行われる地域、店舗、又は日時を特定するための情報、書き込みが行われる装置、書き込まれるプログラムを特定するための情報、又は、前記ファイルの書き込みを依頼するユーザを特定するための情報の中から選択される１又は複数の情報を用いて生成されることを特徴とする請求項１乃至３のいずれか一に記載の情報記録装置。
【請求項５】
コンピュータを、少なくとも、
入力したファイルを記録する記録媒体又は記憶手段に予め記録されているファイルの名称を取得する手段、
前記入力したファイルの名称と、前記記録媒体又は前記記憶手段に予め記録されているいずれか一のファイルの名称とが一致する場合に、所定のルールに従って新たなファイルの名称を作成する手段、
ファイルの名称が一致しない場合は、前記入力したファイルを前記記録媒体又は前記記憶手段に記録し、ファイルの名称が一致する場合は、前記入力したファイルのファイル名を前記新たな名称に変更して前記記録媒体又は前記記憶手段に記録する手段、として機能させることを特徴とする記録プログラム。
【請求項６】
コンピュータを、少なくとも、
フォルダ単位で入力したファイルを記録する記録媒体又は記憶手段に予め作成されているフォルダの名称を取得する手段、
前記入力したファイルが格納されているフォルダの名称と、前記記録媒体又は前記記憶手段に予め作成されているいずれか一のフォルダの名称とが一致する場合に、所定のルールに従って新たなフォルダの名称を作成し、前記記録媒体又は前記記憶手段に前記新たな名称のフォルダを作成する手段、として機能させることを特徴とする記録プログラム。
【請求項７】
コンピュータを、少なくとも、
フォルダ単位で入力したファイルを記録する記録媒体又は記憶手段に予め作成されているフォルダの名称を取得する手段、
前記入力したファイルが格納されているフォルダの名称と、前記記録媒体又は前記記憶手段に予め作成されているいずれか一のフォルダの名称とが一致する場合に、所定のルールに従って新たなフォルダの名称を作成する手段、
フォルダの名称が一致しない場合は、前記入力したファイルを前記フォルダごと前記記録媒体又は前記記憶手段に記録し、フォルダの名称が一致する場合は、前記記録媒体又は前記記憶手段に前記新たな名称のフォルダを作成し、該フォルダに前記入力したファイルを記録する手段、として機能させることを特徴とする記録プログラム。
【請求項８】
前記ファイルは、デジタルカメラで撮影された写真画像に基づく画像ファイルであることを特徴とする請求項５乃至７のいずれか一に記載の記録プログラム。
【請求項９】
前記ファイル又は前記フォルダの名称は、前記ファイルの書き込みが行われる地域、店舗、又は日時を特定するための情報、書き込みが行われる装置、書き込まれるプログラムを特定するための情報、又は、前記ファイルの書き込みを依頼するユーザを特定するための情報の中から選択される１又は複数の情報を用いて生成されることを特徴とする請求項５乃至８のいずれか一に記載の記録プログラム。
【請求項１０】
ファイルを入力するステップと、
前記入力したファイルを記録する記録媒体又は記憶手段に予め記録されているファイルの名称を取得するステップと、
前記入力したファイルの名称と、前記記録媒体又は前記記憶手段に予め記録されているファイルの名称とを比較するステップと、
前記入力したファイルの名称と、前記記録媒体又は前記記憶手段に予め記録されているいずれか一のファイルの名称とが一致する場合に、所定のルールに従って新たなファイルの名称を作成するステップと、
ファイルの名称が一致しない場合は、前記入力したファイルを前記記録媒体又は前記記憶手段に記録し、ファイルの名称が一致する場合は、前記入力したファイルのファイル名を前記新たな名称に変更して前記記録媒体又は前記記憶手段に記録するステップと、を少なくとも備えることを特徴とする情報記録方法。
【請求項１１】
フォルダに格納されるファイルを、フォルダ単位で入力するステップと、
前記入力したファイルを記録する記録媒体又は記憶手段に予め作成されているフォルダの名称を取得するステップと、
前記入力したファイルが格納されているフォルダの名称と、前記記録媒体又は前記記憶手段に予め作成されているフォルダの名称とを比較するステップと、
前記入力したファイルが格納されているフォルダの名称と、前記記録媒体又は前記記憶手段に予め作成されているいずれか一のフォルダの名称とが一致する場合に、所定のルールに従って新たなフォルダの名称を作成するステップと、
フォルダの名称が一致しない場合は、前記入力したファイルを前記フォルダごと前記記録媒体又は前記記憶手段に記録し、フォルダの名称が一致する場合は、前記記録媒体又は前記記憶手段に前記新たな名称のフォルダを作成し、該フォルダに前記入力したファイルを記録するステップと、を少なくとも備えることを特徴とする情報記録方法。
【請求項１２】
前記ファイルは、デジタルカメラで撮影された写真画像に基づく画像ファイルであることを特徴とする請求項１０又は１１に記載の情報記録方法。
【請求項１３】
前記ファイル又は前記フォルダの名称は、前記ファイルの書き込みが行われる地域、店舗、又は日時を特定するための情報、書き込みが行われる装置、書き込まれるプログラムを特定するための情報、又は、前記ファイルの書き込みを依頼するユーザを特定するための情報の中から選択される１又は複数の情報を用いて生成されることを特徴とする請求項１０乃至１２のいずれか一に記載の情報記録方法。
【発明の詳細な説明】
【技術分野】
【０００１】
本発明は、情報記録装置及び情報記録方法並びに記録プログラムに関し、特に、入力したファイルを記録手段に記録する情報記録装置及び情報記録方法並びに記録プログラムに関する。
【背景技術】
【０００２】
近年、写真に関連する様々なサービスが提供されるようになってきている。例えば、ユーザがデジタルカメラで写真を撮影し、写真の画像ファイルを記録したデジタルカメラやデジタルカメラ用メディアをミニラボ等の写真店に持ち込むと、写真店では情報記録装置を用いてデジタルカメラやメディアから画像ファイルを読み取り、ＣＤ−Ｒなどの記録媒体に書き込んでユーザに提供するサービスが行われている（例えば、特開平５−１８２３７３号公報等）。上記サービス（いわゆるＣＤ−Ｒ書き込みサービス）では、以前に画像ファイルが記録された記録媒体に、デジタルカメラで撮影した写真の画像ファイルを追記することも可能である。
【特許文献１】特開平５−１８２３７３号公報（第４−６頁、第３図）
【発明の開示】
【発明が解決しようとする課題】
【０００３】
デジタルカメラでは、一連の画像ファイルはデジタルカメラで生成されたファイル名で保存又はデジタルカメラで生成された名称のフォルダに格納されて保存されており、上述したＣＤ−Ｒ書き込みサービスでは、画像ファイルが単独又はフォルダ単位で記録媒体に記録される。ここで、デジタルカメラで生成するファイルやフォルダの名称は、通常、通し番号や日時情報などを用いて作成されるため、以前に画像ファイルが記録された記録媒体に新たな画像ファイルを追記する場合などに、画像ファイルや該画像ファイルを格納するフォルダの名称が重複してしまう場合がある。
【０００４】
そこで、情報記録装置では、ファイルやフォルダの名称が重複した場合、ユーザに対してファイルやフォルダを上書きするかを確認するメッセージを表示し、上書きしない場合は更にファイルやフォルダの名称の変更を要求するメッセージを表示する。そして、ユーザが自ら生成した名称を入力すると、画像ファイルの名称が変更されて記録、又は、該名称のフォルダが新たに作成されて、該フォルダに画像ファイルが記録される。このように、ファイルやフォルダの名称が重複する場合は記録媒体に画像ファイルを記録する操作が複雑になり、また、メッセージに対する指示を間違えると既に作成されているファイルやフォルダが上書きされてしまい、大切な画像ファイルが消えてしまう恐れがある。このような問題は画像ファイルに限らず、音楽ファイルやコンテンツ、プログラムなどの任意のファイルを記録する場合に同様に生じる。
【０００５】
本発明は、上記問題点に鑑みてなされたものであって、その主たる目的は、ファイルの記録先に、記録しようとするファイルや該ファイルが格納されているフォルダと同一の名称のファイルやフォルダが存在する場合であっても、上書きすることなくファイルを記録することができる情報記録装置及び情報記録方法並びに記録プログラムを提供することにある。
【課題を解決するための手段】
【０００６】
上記目的を達成するため、本発明の情報記録装置は、入力したファイルを記録媒体又は記憶手段に記録する情報記録装置において、前記ファイルを入力する手段と、前記記録媒体又は前記記憶手段に予め記録されているファイルの名称を取得する手段と、前記入力したファイルの名称と、前記記録媒体又は前記記憶手段に予め記録されているいずれか一のファイルの名称とが一致する場合に、所定のルールに従って新たなファイルの名称を作成する手段と、ファイルの名称が一致しない場合は、前記入力したファイルを前記記録媒体又は前記記憶手段に記録し、ファイルの名称が一致する場合は、前記入力したファイルのファイル名を前記新たな名称に変更して前記記録媒体又は前記記憶手段に記録する手段と、を少なくとも備えるものである。
【０００７】
また、本発明の情報記録装置は、入力したファイルを記録媒体又は記憶手段に記録する情報記録装置において、フォルダに格納される前記ファイルを、フォルダ単位で入力する手段と、前記記録媒体又は前記記憶手段に予め作成されているフォルダの名称を取得する手段と、前記入力したファイルが格納されているフォルダの名称と、前記記録媒体又は前記記憶手段に予め作成されているいずれか一のフォルダの名称とが一致する場合に、所定のルールに従って新たなフォルダの名称を作成する手段と、フォルダの名称が一致しない場合は、前記入力したファイルを前記フォルダごと前記記録媒体又は前記記憶手段に記録し、フォルダの名称が一致する場合は、前記記録媒体又は前記記憶手段に前記新たな名称のフォルダを作成し、該フォルダに前記入力したファイルを記録する手段と、を少なくとも備えるものである。
【０００８】
本発明においては、前記ファイルは、デジタルカメラで撮影された写真画像に基づく画像ファイルであることが好ましい。
【０００９】
また、本発明においては、前記ファイル又は前記フォルダの名称は、前記ファイルの書き込みが行われる地域、店舗、又は日時を特定するための情報、書き込みが行われる装置、書き込まれるプログラムを特定するための情報、又は、前記ファイルの書き込みを依頼するユーザを特定するための情報の中から選択される１又は複数の情報を用いて生成される構成とすることができる。
【００１０】
また、本発明の記録プログラムは、コンピュータを、少なくとも、入力したファイルを記録する記録媒体又は記憶手段に予め記録されているファイルの名称を取得する手段、前記入力したファイルの名称と、前記記録媒体又は前記記憶手段に予め記録されているいずれか一のファイルの名称とが一致する場合に、所定のルールに従って新たなファイルの名称を作成する手段、ファイルの名称が一致しない場合は、前記入力したファイルを前記記録媒体又は前記記憶手段に記録し、ファイルの名称が一致する場合は、前記入力したファイルのファイル名を前記新たな名称に変更して前記記録媒体又は前記記憶手段に記録する手段、として機能させるものである。
【００１１】
また、本発明の記録プログラムは、コンピュータを、少なくとも、フォルダ単位で入力したファイルを記録する記録媒体又は記憶手段に予め作成されているフォルダの名称を取得する手段、前記入力したファイルが格納されているフォルダの名称と、前記記録媒体又は前記記憶手段に予め作成されているいずれか一のフォルダの名称とが一致する場合に、所定のルールに従って新たなフォルダの名称を作成し、前記記録媒体又は前記記憶手段に前記新たな名称のフォルダを作成する手段、として機能させるものである。
【００１２】
また、本発明の記録プログラムは、コンピュータを、少なくとも、フォルダ単位で入力したファイルを記録する記録媒体又は記憶手段に予め作成されているフォルダの名称を取得する手段、前記入力したファイルが格納されているフォルダの名称と、前記記録媒体又は前記記憶手段に予め作成されているいずれか一のフォルダの名称とが一致する場合に、所定のルールに従って新たなフォルダの名称を作成する手段、フォルダの名称が一致しない場合は、前記入力したファイルを前記フォルダごと前記記録媒体又は前記記憶手段に記録し、フォルダの名称が一致する場合は、前記記録媒体又は前記記憶手段に前記新たな名称のフォルダを作成し、該フォルダに前記入力したファイルを記録する手段、として機能させるものである。
【００１３】
また、本発明の情報記録方法は、ファイルを入力するステップと、前記入力したファイルを記録する記録媒体又は記憶手段に予め記録されているファイルの名称を取得するステップと、前記入力したファイルの名称と、前記記録媒体又は前記記憶手段に予め記録されているファイルの名称とを比較するステップと、前記入力したファイルの名称と、前記記録媒体又は前記記憶手段に予め記録されているいずれか一のファイルの名称とが一致する場合に、所定のルールに従って新たなファイルの名称を作成するステップと、ファイルの名称が一致しない場合は、前記入力したファイルを前記記録媒体又は前記記憶手段に記録し、ファイルの名称が一致する場合は、前記入力したファイルのファイル名を前記新たな名称に変更して前記記録媒体又は前記記憶手段に記録するステップと、を少なくとも備えるものである。
【００１４】
また、本発明の情報記録方法は、フォルダに格納されるファイルを、フォルダ単位で入力するステップと、前記入力したファイルを記録する記録媒体又は記憶手段に予め作成されているフォルダの名称を取得するステップと、前記入力したファイルが格納されているフォルダの名称と、前記記録媒体又は前記記憶手段に予め作成されているフォルダの名称とを比較するステップと、前記入力したファイルが格納されているフォルダの名称と、前記記録媒体又は前記記憶手段に予め作成されているいずれか一のフォルダの名称とが一致する場合に、所定のルールに従って新たなフォルダの名称を作成するステップと、フォルダの名称が一致しない場合は、前記入力したファイルを前記フォルダごと前記記録媒体又は前記記憶手段に記録し、フォルダの名称が一致する場合は、前記記録媒体又は前記記憶手段に前記新たな名称のフォルダを作成し、該フォルダに前記入力したファイルを記録するステップと、を少なくとも備えるものである。
【００１５】
このように、本発明の情報記録装置は、ファイルを記録しようとする記録媒体や内蔵又は外付けされた記憶手段などの記録先に既に記録されているファイルやフォルダの名称を取得し、記録しようとするファイル又は該ファイルが格納されているフォルダと同一の名称のファイルやフォルダが記録先に存在する場合に、所定のルールに従って新たな名称を自動的に作成して、ファイル名を該名称に変更して記録先に記録、又は、該名称のフォルダを記録先に作成して該フォルダにファイルを記録するため、ユーザは自らファイルやフォルダの名称を生成する必要がなく、また、誤ってファイルやフォルダを上書きして大切なファイルを消去してしまうという問題を回避することができる。
【００１６】
また、ファイルやフォルダの名称を多数の数字や文字、記号（好ましくは１０桁以上）を用いて構成することによりファイル名やフォルダ名をユニークに生成することができ、その結果、ファイル名やフォルダ名が重複することがなくなり、ファイルの管理を容易に行うことができるようになる。
【発明の効果】
【００１７】
本発明の情報記録装置及び情報記録方法並びに記録プログラムによれば、上書きすることなく入力したファイルを記録することができる。
【００１８】
その理由は、情報記録装置では、ファイルを記録する記録先に既に記録されているファイルやフォルダの名称を取得し、入力したファイル又は該ファイルが格納されているフォルダと同じ名称のファイルやフォルダが記録先に存在する場合に、予め定めたルールに従って名称を自動的に作成し、ファイル名を該名称に変更して記録先に記録、又は、該名称のフォルダを記録先に作成して該フォルダにファイルを格納するからである。
【発明を実施するための最良の形態】
【００１９】
本発明の情報記録装置は、その好ましい一実施の形態において、デジタルカメラやメディアからファイルを入力するファイル入力手段と、記録媒体や内蔵又は外付け記憶手段などの記録先に既に記録されているファイルやフォルダの名称を取得する名称取得手段と、記録しようとするファイルや該ファイルが格納されているフォルダと記録先のファイルやフォルダの名称とを比較し、同じ名称のファイルやフォルダが記録先に存在する場合に、所定のルールに従って新たな名称を作成する名称作成手段と、ファイルやフォルダの名称が一致しない場合はデジタルカメラやメディアに記録されたファイルやフォルダをそのまま記録先に記録し、ファイルやフォルダの名称が一致する場合はファイルの名称を変更して記録先に記録、又は、新たな名称のフォルダを記録先に作成して該フォルダにファイルを記録するファイル記録手段とを少なくとも備える。これにより、ファイルやフォルダの名称が一致している場合でも誤ってファイルやフォルダを上書きすることがなく、また、ユーザ自らがファイルやフォルダの名称を作成するといった作業を省略することができる。
【実施例１】
【００２０】
上記実施形態について詳細に説明すべく、本発明の第１の実施例に係る情報記録装置及び情報記録方法並びに記録プログラムについて、図１乃至図１０を参照して説明する。図１乃至図３は、本実施例に係る情報記録装置の構成を模式的に示す外観図であり、図４は、情報記録装置の機能を示すブロック図である。また、図５は、本実施例の情報記録方法の手順を示すフローチャート図であり、図６乃至図１０は、記録媒体のデータ構造を模式的に示す図である。
【００２１】
図１に示すように、本実施例の情報記録装置１は、スマートメディア、コンパクトフラッシュ（登録商標）、メモリースティック（登録商標）、ＳＤメモリーカード、マルチメディアカードなどのデジタルカメラ用やカメラ付き携帯電話機用の記録媒体（以下、メディア８と呼ぶ。）を装填するメディア装填部２、デジタルカメラ７やカメラ付き携帯電話機７ａ等の撮影機器（以下、デジタルカメラ７として説明する。）を有線又は無線、赤外線等によって接続するための機器接続部３、インターネット等の通信ネットワーク１５を介してサーバ１６からファイルをダウンロードするネットワーク接続部等のファイル入力手段と、入力した静止画像ファイル、動画ファイル、楽曲音声ファイル、コンテンツファイル、アプリケーションファイル等（以下、単にファイルと呼ぶ。）を記録するＣＤ−ＲやＤＶＤ−Ｒ等の記録媒体９を装填する記録媒体装填部４と、ボタン、キーボード、マウス等の操作部６及びＬＣＤ、ＣＲＴ等の表示部５（図では操作部６と表示部５とを兼ね備えるタッチパネルを示している。）とを備えている。
【００２２】
また、情報記録装置１の機能をブロック図で示すと図４のようになる。すなわち、メディア装填部２、機器接続部３、ネットワーク接続部等を用いてファイルを入力するファイル入力手段１０と、表示部５や操作部６等の情報入力手段１１と、記録先（本実施例では記録媒体９）に既に記録されているファイルやフォルダの名称を取得する名称取得手段１２と、入力されたファイルや該ファイルが格納されているフォルダ（すなわち、デジタルカメラ７やメディア８、サーバ１６に記録されているファイルやフォルダ）と同一の名称のファイルやフォルダが記録媒体９に存在する場合に、新たな名称を作成する名称作成手段１３と、同一の名称のファイルやフォルダが存在しない場合に入力したファイルやフォルダをそのまま記録し、同一の名称のファイルやフォルダが存在する場合にファイル名を新たに作成した名称に変更、又は、新たな名称のフォルダを作成して該フォルダに入力したファイルを記録するファイル記録手段１４とを備えている。
【００２３】
なお、図１では、記録媒体装填部４を記録媒体９にファイルを記録する手段として用いているが、予めコンテンツなどのファイルが記録された記録媒体を装填し、該記録媒体からファイルを入力する手段として用いてもよい。また、図１では写真店やコンビニエンスストア等の店舗に設置可能なキオスク型の情報記録装置１を記載しているが、情報記録装置１の形態は任意であり、例えば、図２に示すように専用のセットトップボックスとしたり、図３に示すようにポータブルライタなどとしてもよいし、ＤＶＤレコーダでもよい。
【００２４】
次に、上記構成の情報記録装置１を用いて、記録媒体９にファイルが記録されるまでの手順について、図５のフローチャート図を参照して説明する。
【００２５】
まず、ステップＳ１０１で、情報記録装置１のメディア装填部２にメディア８を装填、又は機器接続部３にデジタルカメラ７を接続、又はネットワーク接続部を通信ネットワーク１５に接続し、また、記録媒体装填部４に記録媒体９を装填する。なお、記録媒体装填部４に装填する記録媒体９はファイルが記録されていない未使用の記録媒体としてもよいし、予めファイルが記録されている使用済みの記録媒体としてもよい。
【００２６】
次に、ステップＳ１０２で、情報記録装置１はファイル入力手段１０を用いて、デジタルカメラ７やメディア８の所定のエリアに格納されたファイルやサーバ１６に記録されたファイルを単独又はフォルダ単位で入力する。なお、入力するフォルダの数量や該フォルダに格納されているファイルの数量は任意であるが、以下では、１又は複数のファイルが格納されている１つのフォルダを入力する場合について主に説明する。
【００２７】
次に、ステップＳ１０３で、情報記録装置１は、名称取得手段１２を用いてファイルを記録しようとする記録先（ここでは記録媒体９）に既に記録されているファイルの名称、又はフォルダの名称を取得する。
【００２８】
次に、ステップＳ１０４で、名称作成手段１３は、記録しようとするファイル又は該ファイルが格納されているフォルダ（すなわち、デジタルカメラ７やメディア８、サーバ１６に記録されているファイルやフォルダ）の名称と記録先の記録媒体９に記録されているファイルやフォルダの名称とを比較し、記録しようとするファイル又は該ファイルが格納されているフォルダと同一の名称のファイルやフォルダが記録先に記録されている場合は、ステップＳ１０５で、予め定められたルールに従ってファイル又は該ファイルを格納するフォルダに付与する名称を作成する。
【００２９】
この名称作成手段１３で作成するファイルやフォルダの名称は、記録媒体９に既に作成されているファイルやフォルダの名称と異なっていればよく、例えば、既に作成されているファイルやフォルダの名称を基にして作成（例えば、枝番号を付加して作成）してもよいが、ＣＤ-Ｒ書き込みサービスで作成した複数の記録媒体９でファイル名やフォルダ名が重複しないようにユニークに構成すれば、ファイルの検索、管理が容易になるという効果が得られる。
【００３０】
例えば、注文を行った写真店を特定する情報（店番号など）や写真店が存在する地域を特定する情報を用いて名称を生成すれば、他の写真店や地域で作成された記録媒体９のファイルやフォルダと区別することができる。また、注文の日時や画像ファイルの基となる写真が撮影された日時、ユーザが任意に指定した日時等の日時情報を用いて名称を生成すれば、異なる日時に作成されたファイルやフォルダと区別することができ、画像ファイルの検索や管理をする場合に便利である。また、情報記録装置９の固有ＩＤ情報（装置番号など）を用いれば、異なる情報記録装置９で作成したファイルやフォルダを識別することができ、ユーザを特定する情報を用いれば、他のユーザが注文した記録媒体９のファイルやフォルダと区別することができる。また、書き込まれるプログラムの固有ＩＤ情報を用いれば、ファイルやフォルダの名称から書き込まれているプログラムを識別することができる。更に、これらを任意に組み合わせて、例えば、店番号と日時情報と装置番号と通し番号とでファイル名やフォルダ名を生成すれば、ほぼユニークな名称とすることができ、複数の記録媒体９でファイル名やフォルダ名が重複することがなくなり、複数の記録媒体９の画像ファイルを整理する場合にファイルやフォルダを上書きする恐れもなくなる。なお、本願発明者の知見によれば、ユニークな名称とするためには１０桁以上の数字や文字の組み合わせとすればよいと考えられる。
【００３１】
次に、ステップＳ１０６で、データ記録手段１４を用いて、ファイルやフォルダの名称が一致しない場合はデジタルカメラ７やメディア８、サーバ１６に記録されているファイルやフォルダをそのまま記録先に記録し、ファイルやフォルダの名称が一致する場合はステップＳ１０５で作成された名称にファイル名を変更して記録先に記録、又は、該名称のフォルダを記録先に作成して該フォルダに入力したファイルを記録する。ここで、新たなフォルダを作成する場合において、フォルダを一つ作成して、その中に全てのファイルを格納してもよいが、多数のファイルが一つのフォルダ内に格納されるとファイルの検索や整理の際に不便であるので、予め一つのフォルダに格納するファイルの格納数を定めておき、デジタルカメラ７やメディア８からファイルを読み込んだ時にこの格納数を参照して作成するフォルダの数を設定し、各々のフォルダに対して名称を付与するようにしてもよい。また、複数のデジタルカメラ７やメディア８からファイルを読み込んだ時は、デジタルカメラ７毎又はメディア８毎にフォルダを作成してファイルを格納する構成としてもよい。
【００３２】
このような方法でファイルが書き込まれた記録媒体９のデータ構造は以下のようになる。例えば、ファイルやフォルダの名称が一致しない場合は、記録媒体９にデジタルカメラ７やメディア８に記録されたファイルやフォルダがそのまま記録媒体９に記録される。ファイルの名称が一致する場合の最も単純な例としては、図６に示すように、記録媒体９に既に記録されているファイル（例えば、DSC00001.jpg）と同じ階層に、名称作成手段１３を用いて作成された名称にファイル名が変更されたファイル（例えば、Ryymmdd00001.jpg：yymmddは書き込み年月日を特定する数字）が記録される。
【００３３】
また、フォルダの名称が一致する場合の最も単純な例としては、図７に示すように、記録媒体９に既に形成されているフォルダ（例えば、DSCyymmdd：yymmddは書き込み年月日を特定する数字）と同じ階層に、名称作成手段１３を用いて、該フォルダの名称を基に作成（ここでは該フォルダの名称に枝番を付加して作成）された名称のフォルダ（例えば、DSCyymmdd-1）が作成され、そのフォルダに入力したファイルが格納される。
【００３４】
また、ユニークな名称のフォルダを作成する例としては、図８に示すように、記録媒体９に既に形成されているフォルダと同じ階層に、名称作成手段１３で作成された名称（PR_XXXXXXX_yymmdd_TTCCCNNN：XXXXXXXは書き込みが行われるロケーション、装置ごとの固有ＩＤ情報などのロケーションＩＤ、yymmddは書き込み年月日を特定する数字、TTは情報記録装置９を特定する数字(マシン通し番号など)、CCCはシーケンシャル番号、NNNは所定の単位毎（例えば、ロール毎やメディア８毎など）のシーケンシャル番号）のフォルダ（ＰＲディレクトリ）が作成され、そのフォルダに入力したファイルが格納される。
【００３５】
図７又は図８では、新たなフォルダが複数作成される場合に、どのフォルダが新規に作成されたものかがわかりにくくなる。そのような場合には、ロール毎やメディア８毎のファイルを格納するフォルダの上位に別のフォルダを作成してデータ構造を明確にすることもできる。例えば、図９に示すように、記録媒体９に既に形成されているフォルダと同じ階層に、名称作成手段１３で作成された名称（PS_XXXXXXX_yymmdd_TTCCC：XXXXXXXは書き込みが行われるロケーション、装置ごとの固有ＩＤ情報などのロケーションＩＤ、yymmddは書き込み年月日を特定する数字、TTは情報記録装置９を特定する数字(マシン通し番号など)、CCCはシーケンシャル番号）のフォルダ（ＰＳディレクトリ）が作成され、その下位の階層に画像ファイル格納用に設けられているフォルダ（PS_IMAGE）が作成され、更にその下位の階層に、（PR_XXXXXXX_yymmdd_TTCCCNNN：XXXXXXX〜CCCは上記と同じ、NNNは所定の単位毎（例えば、ロール毎やメディア８毎など）のシーケンシャル番号）が付加された名称のフォルダ（ＰＲディレクトリ）が作成され、そのフォルダに入力したファイルが格納される構成としたり、図１０に示すように、ＰＳディレクトリを省略してPS_IMAGEの下位の階層にＰＲディレクトリが作成される構成することもできる。このような構成とすればどのフォルダが本実施例の情報記録装置１で作成されたフォルダかを簡単に識別することができる。
【００３６】
また、図７及び図８ではフォルダに格納するファイルの名称は入力された名称をそのまま用いているが、新たに作成したフォルダの名称にあわせてファイルの名称を変更（例えば、Ryymmdd00001.jpg等）して記録したり、入力された画像ファイルの他に、画像ファイルを表示手段に表示するために利用するサムネイル画像ファイル（Tyymmdd00001.jpg等）やスクリーンネイル画像ファイル（Syymmdd00001.jpg等）、ＲＡＷ形式データのファイル（Wyymmdd00001.raw等）などを格納する構成としてもよい。
【００３７】
このように、本実施例の情報記録装置及び情報記録方法並びに記録プログラムでは、記録先に既に記録されているファイルの名称又はフォルダの名称を取得し、記録しようとするファイルや該ファイルが格納されているフォルダの名称と同一の名称のファイルやフォルダが記録先に存在する場合に、所定のルールに従って新たな名称を自動的に作成して、ファイル名を該名称に変更して記録先に記録、又は、該名称のフォルダを記録先に作成して該フォルダにファイルを記録する。従って、ファイルやフォルダの名称が一致する場合であってもファイルやフォルダが上書きされることがなく、また、ユーザ自らがファイルやフォルダの名称を生成する必要がないため、ユーザの利便性を向上させることができる。
【実施例２】
【００３８】
次に、本発明の第２の実施例に係る情報記録装置及び情報記録方法並びに記録プログラムについて、図１１及び図１２を参照して説明する。図１１は、本実施例に係る情報記録装置の構成を模式的に示す外観図であり、図１２は、本実施例の情報記録方法の手順を示すフローチャート図である。
【００３９】
前記した第１の実施例では、キオスク（図１）やセットアップボックス（図２）、ポータブルライタ（図３）等の専用の情報記録装置１を用いる構成としたが、近年のパソコンには、図１１に示すようにデジタルカメラ７を接続する機器接続部３やメディア８を装填するメディア装填部２、ＣＤ-ＲやＤＶＤ−Ｒ等の記録媒体９にファイルを書き込む機能を備えた記録媒体装填部４等を備えるものも多い。そこで、本実施例では、このような機能を備えたパソコンを情報記録装置１として使用する場合について記載する。
【００４０】
上記パソコンを用いた情報記録装置１には、コンピュータを、メディア装填部２、機器接続部３等を用いてファイルを入力するファイル入力手段１０、記録媒体９に既に記録されているファイルの名称又はフォルダの名称を取得する名称取得手段１２、入力されたファイルや該ファイルが格納されているフォルダと同一の名称のファイルやフォルダが記録媒体９やパソコンに内蔵又は外付けされたＨＤＤなどの記憶手段に存在する場合に、新たな名称を作成する名称作成手段１３、ファイルやフォルダの名称が一致しない場合は入力したファイルやフォルダをそのまま記録し、ファイルやフォルダの名称が一致する場合は新たに作成した名称にファイル名を変更して記録先に記録、又は、該名称のフォルダを記録先に作成して該フォルダに入力したファイルを記録するファイル記録手段１４、などとして機能させる記録プログラムがインストールされている。
【００４１】
上記構成のパソコンを用いて、記録媒体９又は記憶手段にファイルが記録されるまでの手順について、図１２のフローチャート図を参照して説明する。
【００４２】
まず、ステップＳ２０１で、パソコンに上記記録プログラムをインストールする。この記録プログラムの提供方法は任意であり、記録媒体に記録してユーザに提供してもよいし、インターネット等の通信ネットワークを介してダウンロードしてもよい。
【００４３】
次に、ステップＳ２０２で、第１の実施例と同様に、情報記録装置１のメディア装填部２にメディア８を装填、又は機器接続部３にデジタルカメラ７を接続、又はネットワーク接続部を通信ネットワーク１５に接続し、記録媒体９にファイルを記録する場合は、記録媒体装填部４に未使用又は予めファイルが記録されている使用済みの記録媒体９を装填する。
【００４４】
次に、ステップＳ２０３で、情報記録装置１はファイル入力手段１０を用いてメディア８やデジタルカメラ７に記録されているファイルやサーバ１６に記録されたファイルを単独又はフォルダ単位で入力する。次に、ステップＳ２０４で、情報記録装置１は、名称取得手段１２を用いてファイルを記録しようとする記録先（ここでは記録媒体９又は記憶手段）に既に記録されているファイルやフォルダの名称を取得する。
【００４５】
次に、ステップＳ２０５で、名称作成手段１３は、記録しようとするファイルや該ファイルが格納されているフォルダ（すなわち、デジタルカメラ７やメディア８、サーバ１６に記録されているファイルやフォルダ）の名称と記録先の記録媒体９又は記憶手段に記録されているファイルやフォルダの名称とを比較し、記録しようとするファイルや該ファイルが格納されているフォルダの名称と同一の名称のファイルやフォルダが記録先に記録されている場合は、ステップＳ２０６で、予め定められたルールに従ってファイルや該ファイルを格納するフォルダに付与する名称を作成する。
【００４６】
なお、ファイルやフォルダの名称を作成する方法は第１の実施例と同様であり、記録媒体９や記憶手段に記録されているファイルやフォルダの名称に基づいて作成してもよいし、注文を行った写真店を特定する情報（店番号など）や写真店が存在する地域を特定する情報、注文の日時や画像ファイルの基となる写真が撮影された日時、ユーザが任意に指定した日時等の日時情報、情報記録装置９の固有ＩＤ情報（装置番号など）、ユーザを特定する情報、書き込まれるプログラムの固有ＩＤ情報などを用いて、ユニークな名称を作成してもよい。
【００４７】
次に、ステップＳ２０７で、データ記録手段１４を用いて、フォルダの名称が一致しない場合はデジタルカメラ７やメディア８、サーバ１６に記録されているファイルやフォルダをそのまま記録先に記録し、ファイルやフォルダの名称が一致する場合はステップＳ２０６で作成された名称にファイル名を変更して記録先に記録、又は、該名称のフォルダを記録先に作成して該フォルダに入力したファイルを記録する。本実施例でもフォルダを作成する場合は、フォルダを一つ作成して、その中に全てのファイルを格納してもよいし、デジタルカメラ７毎又はメディア８毎にフォルダを作成してファイルを格納する構成としてもよい。また、データ構造を明確にするために、ファイルを格納するフォルダの上位の階層に、別の管理用フォルダを設けてもよい。
【００４８】
このように、本実施例の情報記録装置及び情報記録方法並びに記録プログラムでは、パソコンなどの演算処理装置に予め記録プログラムをインストールしておくことにより、パソコンを、デジタルカメラ７やメディア８からファイルを入力するファイル入力手段１０、記録媒体９や記憶手段などの記録先に既に記録されているファイル又はフォルダの名称を取得する名称取得手段１２、記録しようとするファイルや該ファイルが格納されているフォルダの名称と同一の名称のファイルやフォルダが記録先に存在する場合に、所定のルールに従って新たな名称を自動的に作成する名称作成手段１３、デジタルカメラ７やメディア８、サーバ１６に記録されたファイルやフォルダをそのまま記録、又は新たに作成された名称にファイル名を変更して記録、又は該名称のフォルダを作成して該フォルダにファイルを記録するファイル記録手段１４として機能させることができる。これにより、ユーザは自宅でも、デジタルカメラ７やメディア８に記録されたファイルを簡単に記録媒体９やパソコンの記憶手段に記録することができる。
【００４９】
なお、上記各実施例では、記録媒体９にデジタルカメラ７やメディア８に記録されたファイルを書き込む構成としたが、本発明は上記実施例に限定されるものではなく、任意のファイルの書き込みに適用することができ、例えば、インターネットを介してダウンロードした音楽ファイルやコンテンツ、アプリケーション等を記録する場合も同様に適用することもできる。
【図面の簡単な説明】
【００５０】
【図１】本発明の第１の実施例に係る情報記録装置の構成を模式的に示す図である。
【図２】本発明の第１の実施例に係る情報記録装置の他の構成を模式的に示す図である。
【図３】本発明の第１の実施例に係る情報記録装置の他の構成を模式的に示す図である。
【図４】本発明の第１の実施例に係る情報記録装置の構成を示すブロック図である。
【図５】本発明の第１の実施例に係る情報記録方法の手順を示すフローチャート図である。
【図６】本発明の第１の実施例に係る記録媒体のデータ構造を模式的に示す図である。
【図７】本発明の第１の実施例に係る記録媒体の他のデータ構造を模式的に示す図である。
【図８】本発明の第１の実施例に係る記録媒体の他のデータ構造を模式的に示す図である。
【図９】本発明の第１の実施例に係る記録媒体の他のデータ構造を模式的に示す図である。
【図１０】本発明の第１の実施例に係る記録媒体の他のデータ構造を模式的に示す図である。
【図１１】本発明の第２の実施例に係る情報記録装置の構成を模式的に示す図である。
【図１２】本発明の第２の実施例に係る情報記録方法の手順を示すフローチャート図である。
【符号の説明】
【００５１】
１  情報記録装置
２  メディア装填部
３  機器接続部
４  記録媒体装填部
５  表示部
６  操作部
７  デジタルカメラ
７ａ  カメラ付き携帯電話機
８  メディア
１０  ファイル入力手段
１１  情報入力手段
１２  名称取得手段
１３  名称作成手段
１４  ファイル記録手段
１５  通信ネットワーク
１６  サーバ
【図１】
2005092756.tif 000003
【図２】
2005092756.tif 000004
【図３】
2005092756.tif 000005
【図４】
2005092756.tif 000006
【図５】
2005092756.tif 000007
【図６】
2005092756.tif 000008
【図７】
2005092756.tif 000009
【図８】
2005092756.tif 000010
【図９】
2005092756.tif 000011
【図１０】
2005092756.tif 000012
【図１１】
2005092756.tif 000013
【図１２】
2005092756.tif 000014